(57)【要約】【課題】設置場所が限定されず、従来の開閉方式とは全く異なる方式を使用し、大型映像モニターを電動により開閉する映像モニター電動開閉装置を提供する。【解決手段】容易に取付可能な筐体１１に設けられた１０インチ以上の大型の映像モニター部２を有し、操作パネル４０３ａ或いはリモートコントロール部により入力された信号に従い、減速モーター１１２とスチールワイヤー１１４により映像モニター部２の上端を移動することにより、第１及び第２レール溝２１０，２２０に沿ってアーム係止部１３１，１３２及びフレーム係止部３３Ａ，３３Ｂを移動して映像モニター部２を水平収容状態から垂直状態に移動すると共に、支持アーム１３Ａ，１３Ｂによって視野角に合わせた角度に調整することができる。従って、映像を見ることを必要とする乗り物や建物においては使用者は美観を損ねることが無く、また場所の障害とならず映像を鑑賞することができる。【選択図】  図１
2005025057.tif 000002
【特許請求の範囲】
【請求項１】
矩形板状の映像モニター部と、
前記モニタ部を収容する筐体と、
前記筐体の両側部のそれぞれに設けられ、前記筐体の前後方向に延びる所定の長さを有する第１摺動路と、
前記筐体の両側部のそれぞれに設けられ、前記筐体の前後方向に延びる所定の長さを有する第２摺動路と、
前記映像モニター部の外周部に設けられ、前記映像モニター部を支持するフレームと、
前記フレームの両側部のそれぞれの中央部に固定された第１及び第２支点部材と、
前記フレームの両側部のそれぞれの上端部に設けられ、前記筐体の内側から前記第２摺動路に係止されて前記第２摺動路に沿って摺動する第１及び第２フレーム係止部と、
所定の長さを有し、前記第１支点部材に対して回動自在に係止された支点係止部を一端部に有すると共に、一方の前記第１摺動路に係止されて前記第１摺動路に沿って摺動するアーム係止部を他端部に有する第１支持アームと、
所定の長さを有し、前記第２支点部材に対して回動自在に係止された支点係止部を一端部に有すると共に、他方の前記第１摺動路に係止されて前記第１摺動路に沿って摺動するアーム係止部を他端部に有する第２支持アームと、
前記筐体の内側に固定されているモータと、
前記モータの回動に伴って前記モニター部の上端を前記筐体の側面に対して平行に移動する移動手段と、
前記モーターの駆動を制御する駆動制御手段とを備えている
ことを特徴とする映像モニター電動開閉装置。
【請求項２】
前記筐体は、上面と、前記上面の側辺に連結されて互いに対向する第１及び第２側面と、前記上面に連結されると共に前記第１及び第２側面に隣接する背面とを有し、
前記第１摺動路及び第２摺動路は前記第１及び第２側面のそれぞれに設けられていると共に、
前記第１摺動路は、前記上面に対して平行に延びる所定の長さを有し、前端部が前記上面から離れる方向に屈曲していると共に屈曲点において前記上面の側に湾曲した第１切り欠き部を有し、前端部において前記上面から離れる側に湾曲した第２切り欠き部を有し、
前記第２摺動路は、前記第１及び第２側面のそれぞれにおいて前記第１摺動路と前記上面との間に設けられ、前記上面に対して平行に延びると共に後端部と前端部との間の距離が前記第１摺動路の長さよりも長く設定され、中央部が前記上面から離れる方向に湾曲しており、
前記第１及び第２支持アームは、他端部に配置された第１アーム係止部と、該第１アーム係止部から一端部方向に所定距離離れた位置に設けられた第２アーム係止部とを有する
ことを特徴とする請求項１に記載の映像モニター電動開閉装置。
【請求項３】
前記移動手段は、
前記モーターによって回動される第１プーリーと、
前記筐体上面の内側の前後方向中央部に固定された第２プーリーと、
前記筐体上面の内側の前後方向前部に固定された第３プーリーと、
前記第１乃至第３プーリーにかけられて前記第１プーリーの回動に伴って摺動する環状ワイヤーと、
前記フレームの上部を前記環状ワイヤーの所定位置に固定する固定部材とからなる
ことを特徴とする請求項１に記載の映像モニター電動開閉装置。
【請求項４】
前記第３プーリーは、前記映像モニター部が前記筐体上面に対して垂直となる位置にあるときに、前記映像モニター部よりも所定距離前方に離れた位置に設けられていると共に、
前記第２摺動路の前端が、前記映像モニター部が前記筐体上面に対して垂直となる位置にあるときに、前記映像モニター部よりも所定距離前方に離れた位置となるように前記第２摺動路の長さが設定されている
ことを特徴とする請求項３に記載の映像モニター電動開閉装置。
【請求項５】
前記移動手段は、
前記モーターによって回動されるボールネジと、
前記ボールネジの回動に伴って前記ボールネジに沿って移動する摺動体と、
前記摺動体と前記フレームの上部とを連結する連結部材とからなる
ことを特徴とする請求項１に記載の映像モニター電動開閉装置。
【請求項６】
前記映像モニター部が前記筐体上面に対して平行な位置及び垂直な位置にあることを検出する手段と、
前記映像モニター部が前記筐体上面に対して平行な位置にあることを検出したときに前記モーターの駆動を停止する手段と、
前記映像モニター部が前記筐体上面に対して垂直な位置にあることを検出したときに前記モーターの駆動を停止する手段とを備えている
ことを特徴とする請求項１乃至請求項５の何れかに記載の映像モニター電動開閉装置。
【請求項７】
前記フレームの上部が前記筐体の前端に最も近づいたことを検出する手段と、該検出手段によって前記フレームの上部が前記筐体の前端に最も近づいたことを検出したときに前記モーターの駆動を停止する手段とを備えている
ことを特徴とする請求項１に記載の映像モニター電動開閉装置。
【請求項８】
前記映像モニター部の画面は１０インチ以上の大きさを有することを特徴とする請求項１乃至請求項７の何れかに記載の映像モニター電動開閉装置。
【請求項９】
前記駆動制御手段は、手動操作スイッチパネルからの入力情報に基づいて前記モーターを駆動する手段と、ワイヤーレスリモートコントロール部から送信された制御信号を受信して該制御信号に基づいて前記モーターを駆動する手段とを備えている
ことを特徴とする請求項１乃至請求項８の何れかに記載の映像モニター電動開閉装置。
【発明の詳細な説明】
【０００１】
【発明の属する技術分野】
本発明は複雑な構造や多くの組み立て部品を使用することなく場所をとらず、必要に応じて映像等を見ることができる大型の映像モニター電動開閉装置に関するものである。
【０００２】
【従来の技術】
従来、映像などを見る場合、その場所に固定された映像モニターを使用し、使用しない場合も映像モニターが置かれている状態は変わらず、モニターの占有空間が常時必要となる。
【０００３】
また、映像モニターを必要としないときに収納できる装置の一例が特開平１０−１４７１８５号公報に開示されている。この装置によれば、映像モニターを必要としないときには映像モニターを収納しておくことができるので、その占有空間をあけることができる。
【０００４】
【特許文献１】
特開平１０−１４７１８５号公報
【０００５】
【発明が解決しようとする課題】
しかしながら、映像モニターが収納される上記従来例の装置も、最大画面寸法が８インチまでと小型に限られる共に構造が複雑なうえ、映像モニターの支点が最下部、又は最上部横軸の左右２点であり歯車を多量に用いているため衝撃や振動に対しての対策が充分でない。
【０００６】
また、映像モニターのサイズが大きくなると、映像モニターを支えるための歯車に作用する力は非常に大きくなり、振動に対する揺れや、外部からの加圧などにより歯車や、その他の構造部品を破損する恐れが極めて大きい。
【０００７】
さらに、大型の映像モニターの開閉装置を、歯車などの機構部品を使用して作動させるためには構造上外形が大きくなると共に、大型の映像モニターの収納装置を従来の構造で製作すると、大きさや重さに対する対策のため製作コストが高くなる。すなわち、上記の従来例のような小型映像モニターに使用されている電動開閉装置は、映像モニターが小型軽量のため映像モニターの左右１個所ずつを軸にして開閉されている。この方式は大型の映像モニターには軸にかかる力が大きく、又外部より少しの力が映像モニターに加わると軸やその他装置が破損する。さらに、大型の映像モニターを電動で開閉するためには、多くの歯車や、機械的強度を増すため構造が非常に複雑になる。
【０００８】
本発明の目的は上記の問題点に鑑み、設置場所が限定されず、従来の開閉方式とは全く異なる方式を使用し、大型映像モニターを電動により開閉する映像モニター電動開閉装置を提供することである。
【０００９】
【課題を解決するための手段】
本発明は上記の目的を達成するために、矩形板状の映像モニター部と、前記モニタ部を収容する筐体と、前記筐体の両側部のそれぞれに設けられ、前記筐体の前後方向に延びる所定の長さを有する第１摺動路と、前記筐体の両側部のそれぞれに設けられ、前記筐体の前後方向に延びる所定の長さを有する第２摺動路と、前記映像モニター部の外周部に設けられ、前記映像モニター部を支持するフレームと、前記フレームの両側部のそれぞれの中央部に固定された第１及び第２支点部材と、前記フレームの両側部のそれぞれの上端部に設けられ、前記筐体の内側から前記第２摺動路に係止されて前記第２摺動路に沿って摺動する第１及び第２フレーム係止部と、所定の長さを有し、前記第１支点部材に対して回動自在に係止された支点係止部を一端部に有すると共に、一方の前記第１摺動路に係止されて前記第１摺動路に沿って摺動するアーム係止部を他端部に有する第１支持アームと、所定の長さを有し、前記第２支点部材に対して回動自在に係止された支点係止部を一端部に有すると共に、他方の前記第１摺動路に係止されて前記第１摺動路に沿って摺動するアーム係止部を他端部に有する第２支持アームと、前記筐体の内側に固定されているモータと、前記モータの回動に伴って前記モニター部の上端を前記筐体の側面に対して平行に移動する移動手段と、前記モーターの駆動を制御する駆動制御手段とを備えている映像モニター電動開閉装置を提案する。
【００１０】
上記構成よりなる本発明の映像モニター電動開閉装置では、前記モーターの回動によって前記映像モニター部を支持する前記フレームの上部が移動する。
【００１１】
前記フレームの上部が移動するに伴って、前記第１及び第２フレーム係止部が前記第２摺動路に沿って移動すると共に、前記第１及び第２支持アームのアーム係止部が前記第１摺動路に沿って移動する。
【００１２】
前記フレームの上部が前記筐体の後端に最も接近したときに、前記第１及び第２フレーム係止部が前記第２摺動路の後端部に位置すると共に、前記第１及び第２支持アームのアーム係止部が前記第１摺動路の後端部に位置し、この状態で前記映像モニター部は前記筐体上面とほぼ平行な位置になり、前記映像モニター部は前記筐体内に収容される。
【００１３】
前記モーターを駆動し、前記フレーム上部を前方に移動するに従い、前記第１及び第２フレーム係止部が前記第２摺動路に沿って前端に向かって移動すると共に、前記第１及び第２支持アームのアーム係止部が前記第１摺動路に沿って前端に向かって移動し、前記映像モニター部は前方に向かってスライド移動する。さらに、これに伴い、前記支持アームが前記支点係止部を中心として回動し、前記映像モニター部の下端は前記第１及び第２フレーム係止部を中心として円弧を描きながら徐々に下方に移動して映像モニター部が筐体内から露出する。
【００１４】
さらに、前記アーム係止部が前記第１摺動路の前端部に達したときに、前記映像モニター部は前記筐体上面に対してほぼ垂直な位置に達する。
【００１５】
また、本発明は上記構成の映像モニター開閉装置において、前記筐体は、上面と、前記上面の側辺に連結されて互いに対向する第１及び第２側面と、前記上面に連結されると共に前記第１及び第２側面に隣接する背面とを有し、前記第１摺動路及び第２摺動路は前記第１及び第２側面のそれぞれに設けられていると共に、前記第１摺動路は、前記上面に対して平行に延びる所定の長さを有し、前端部が前記上面から離れる方向に屈曲していると共に屈曲点において前記上面の側に湾曲した第１切り欠き部を有し、前端部において前記上面から離れる側に湾曲した第２切り欠き部を有し、前記第２摺動路は、前記第１及び第２側面のそれぞれにおいて前記第１摺動路と前記上面との間に設けられ、前記上面に対して平行に延びると共に後端部と前端部との間の距離が前記第１摺動路の長さよりも長く設定され、中央部が前記上面から離れる方向に湾曲しており、前記第１及び第２支持アームは、他端部に配置された第１アーム係止部と、該第１アーム係止部から一端部方向に所定距離離れた位置に設けられた第２アーム係止部とを有する映像モニター電動開閉装置を提案する。
【００１６】
上記構成よりなる本発明の映像モニター電動開閉装置では、映像モニター部の位置を筐体内に収容された水平方向から筐体外に露出した垂直方向に変えるとき、映像モニター部の角度を支える支持アームと支点係止部が回転し、第１摺動路と第２摺動路に沿って第１及び第２アーム係止部とフレーム係止部が移動し、やがて第２アーム係止部が第１摺動路の前端に達すると、映像モニター部は角度を支える支持アームと支点係止部によって固定されており、さらに映像モニター部の角度を支える支持アームは長さを制限されているため、映像モニター部が垂直に下がり始める。前端には第１摺動路に設けられたモニター支持用の第１及び第２切り欠き部が形成されており、その第２切り欠き部に支持アームの第２アーム係止部が入り込み固定される。そのため映像モニター部に対する外部からの人為的な力及び慣性力に対する支えとなり映像モニター部を固定する。
【００１７】
また、映像モニター部の角度を支える支持アームは、第１及び第２アーム係止部及び支点係止部を備え、支点係止部は映像モニター部を支持するフレームに固定された支持部材に対して回動自在に固定され、映像モニター部が垂直な状態に変わるとき、筐体の側面の第１摺動路の前端に設けられた第１切り欠き部に第１アーム係止部が固定され、固定を解除するための第２切り欠き部に第２アーム係止部が固定され、映像モニター部が垂直な状態に開き、開いている場合、外圧に対しての支持をする。
【００１８】
映像モニター部が筐体内に収容されるとき、第２アーム係止部は映像モニター部が水平な状態に変わるときに第１アーム係止部が支点となり上側に移動する。やがて第２切り欠き部の最上部に第２アーム係止部があたると、第２アーム係止部が支点となるため、第１アーム係止部が下に下がり第１切り欠き部から外れ、支持アームは第１摺動路に沿って映像モニター部と共に筐体内に収容される方向に移動する。
【００１９】
また、本発明は上記構成の映像モニター開閉装置において、前記移動手段は、前記モーターによって回動される第１プーリーと、前記筐体上面の内側の前後方向中央部に固定された第２プーリーと、前記筐体上面の内側の前後方向前部に固定された第３プーリーと、前記第１乃至第３プーリーにかけられて前記第１プーリーの回動に伴って摺動する環状ワイヤーと、前記フレームの上部を前記環状ワイヤーの所定位置に固定する固定部材とからなる映像モニター電動開閉装置を提案する。
【００２０】
上記構成よりなる本発明の映像モニター電動開閉装置では、モーターによって第１プーリーが回動されることにより環状ワイヤーが周方向に移動し、これに伴い映像モニター部の上部が移動される。
【００２１】
また、本発明は上記構成の映像モニター開閉装置において、前記第３プーリーは、前記映像モニター部が前記筐体上面に対して垂直となる位置にあるときに、前記映像モニター部よりも所定距離前方に離れた位置に設けられていると共に、前記第２摺動路の前端が、前記映像モニター部が前記筐体上面に対して垂直となる位置にあるときに、前記映像モニター部よりも所定距離前方に離れた位置となるように前記第２摺動路の長さが設定されている映像モニター電動開閉装置を提案する。
【００２２】
上記構成よりなる本発明の映像モニター電動開閉装置では、前記映像モニター部が前記筐体上面に対してほぼ垂直な位置にあるときに、さらに前記フレーム上部を前方に向かって移動すると、前記映像モニター部は前記支点係止部を中心として回動し、映像モニター部の全面が斜め下方を向く位置まで回動する。
【００２３】
また、本発明は上記構成の映像モニター開閉装置において、前記移動手段は、前記モーターによって回動されるボールネジと、前記ボールネジの回動に伴って前記ボールネジに沿って移動する摺動体と、前記摺動体と前記フレームの上部とを連結する連結部材とからなる映像モニター電動開閉装置を提案する。
【００２４】
上記構成よりなる本発明の映像モニター電動開閉装置では、モーターによってボールネジが回動されることによりボールネジに沿って摺動体が移動し、これに伴い映像モニター部の上部が移動される。
【００２５】
また、本発明は上記構成の映像モニター開閉装置において、前記映像モニター部が前記筐体上面に対して平行な位置及び垂直な位置にあることを検出する手段と、前記映像モニター部が前記筐体上面に対して平行な位置にあることを検出したときに前記モーターの駆動を停止する手段と、前記映像モニター部が前記筐体上面に対して垂直な位置にあることを検出したときに前記モーターの駆動を停止する手段とを備えている映像モニター電動開閉装置を提案する。
【００２６】
上記構成よりなる本発明の映像モニター電動開閉装置では、前記映像モニター部が前記筐体上面に対して平行な位置にあることが検出されたときに前記モーターの駆動が停止され、前記映像モニター部が前記筐体上面に対して垂直な位置にあることが検出されたときに前記モーターの駆動が停止される。
【００２７】
また、本発明は上記構成の映像モニター開閉装置において、前記フレームの上部が前記筐体の前端に最も近づいたことを検出する手段と、該検出手段によって前記フレームの上部が前記筐体の前端に最も近づいたことを検出したときに前記モーターの駆動を停止する手段とを備えている映像モニター電動開閉装置を提案する。
【００２８】
上記構成よりなる本発明の映像モニター電動開閉装置は、前記フレームの上部が前記筐体の前端に最も近づいたことが検出されたときに前記モーターの駆動が停止される。
【００２９】
また、本発明は上記構成の映像モニター開閉装置において、前記映像モニター部の画面は１０インチ以上の大きさを有する映像モニター電動開閉装置を提案する。
【００３０】
上記構成よりなる本発明の映像モニター電動開閉装置は、画面が１０インチ以上の映像モニター部が筐体内に収容され、該映像モニター部の開閉が行われる。
【００３１】
また、本発明は上記構成の映像モニター開閉装置において、前記駆動制御手段は、手動操作スイッチパネルからの入力情報に基づいて前記モーターを駆動する手段と、ワイヤーレスリモートコントロール部から送信された制御信号を受信して該制御信号に基づいて前記モーターを駆動する手段とを備えている映像モニター電動開閉装置を提案する。
【００３２】
上記構成よりなる本発明の映像モニター電動開閉装置では、手動操作スイッチパネルからの入力情報もしくはワイヤーレスリモートコントロール部から送信された制御信号に基づいて、前記駆動制御手段によって前記モーターが駆動される。
【００３３】
【発明の実施の形態】
以下、図面に基づいて本発明の一実施形態を説明する。
【００３４】
図１は本発明の第１実施形態における映像モニター電動開閉装置を斜め上後方から見た斜視図、図２は本発明の第１実施形態における映像モニター電動開閉装置を斜め下後方から見た斜視図、図３は本発明の第１実施形態において映像モニター部が垂直な位置にあるときの前面図である。尚、図１，２，３においては、映像モニター部が筐体の上面に対して垂直になるように開いて露出した状態を示している。
【００３５】
本実施形態では１５インチの画面を有する矩形平板状の映像モニター部を電動開閉する装置を一例として説明する。
【００３６】
図において、１は映像モニター電動開閉装置で、前面及び底面が開放された略直方体形状の筐体１１とフレーム３に支持された映像モニター部２とを備え、フレーム３に支持された映像モニター部２はフレーム３の両側部の上端部に設けられたフレーム係止部３３Ａ，３３Ｂと、支持アーム１３Ａ，１３Ｂによって筐体１１に支持されている。尚、本実施形態では、強度を持たせるために、筐体１１、フレーム３及び支持アーム１３Ａ，１３Ｂをスチールを用いて形成している。尚、本実施形態ではフレーム係止部３３Ａ，３３Ｂをローラーとワッシャによって形成している。
【００３７】
筐体１１は、所定の幅を有する矩形状の上面１１ａと、上面１１ａの側辺に連結され上面１１ａに対して直角に交わると共に互いに平行に対向する第１及び第２側面１１ｂ，１１ｃと、上面１１ａに連結され上面１１ａに対して直角に交わると共に第１及び第２側面１１ｂ，１１ｃに隣接する背面１１ｄとを有している。
【００３８】
また、第１及び第２側面１１ｂ，１１ｃのそれぞれには第１摺動路となる第１レール溝２１０が設けられている。図４に示すように、第１レール溝２１０は、上面１１ａに対して平行に延びて後端２１１と前端２１２との間の長さがＬ１１に設定され、その前端部が上面１１ａから離れる方向に屈曲していると共に屈曲点において上面１１ａの側に湾曲した第１切り欠き部２１３を有し、前端部において上面１１ａから離れる側に湾曲した第２切り欠き部２１４を有している。ここで、第１切り欠き部２１３及び第２切り欠き部２１４は、後述する２つのアーム係止部１３１，１３２を固定するためのものである。
【００３９】
また、第１及び第２側面１１ｂ，１１ｃのそれぞれには第２摺動路となる第２レール溝２２０が設けられている。図４に示すように、第２レール溝２２０は、第１レール溝２１０と上面１１ａとの間に設けられ、上面１１ａに対して平行に延びると共に後端２２１が第１レール溝２１０の中央部に対向し、後端２２１と前端２２２との間の距離が第１レール溝２１０の長さＬ１１よりも長いＬ２１に設定され、中央部には上面１１ａから離れる方向に湾曲した湾曲部２２３が形成されている。
【００４０】
さらに、第１及び第２側面１１ｂ，１１ｃのそれぞれｂの前部には切り欠き溝１１ｆが形成されている。
【００４１】
尚、本実施形態では、図４に示すように、第１レール溝２１０の長さＬ１１を１１６ｍｍ、第１レール溝２１０の後端２１１から屈曲点までの長さＬ２１を９３ｍｍ、屈曲点から前端２１２までの長さＬ１３を２３ｍｍに設定している。また、第２レール溝２２０の長さＬ２１を２４０ｍｍ、後端２２１から湾曲部２１３の後部までの距離Ｌ２２を９５ｍｍ、湾曲部２２３の後部から前部までの距離Ｌ２３を８０ｍｍ、湾曲部２２３の前部から前端２２２までの距離Ｌ２４を６５ｍｍに設定している。さらに、第１レール溝２１０の後端２１１と第２レール溝２２０の後端２２１との間の距離Ｌ３を４４ｍｍに設定すると共に、第１レール溝２１０と第２レール溝２２０との間の距離Ｌ４を７ｍｍに設定している。
【００４２】
一方、筐体１１の上面１１ａには４つの取付穴１１ｅが形成されていると共に、上面１１ａの筐体内側には減速モーター１１２、第１プーリー１１３、第２プーリー１１５、第３プーリー１１６、及び第１乃至第３検出スイッチ１１７ａ〜１１７ｃが設けられている。また、第１乃至第３プーリー１１３，１１５，１１６は前後方向に延びる直線上に配置され、各プーリー１１３，１１５，１１６にかかるように環状のスチールワイヤー１１４が設けられ、減速モーター１１２によって第１プーリー１１３が回動するに伴ってスチールワイヤー１１４が摺動するようになっている。
【００４３】
尚、第２プーリー１１５はスチールワイヤー１１４のたるみを吸収できるように設けられている。また、第３プーリー１１６は、映像モニター部２が筐体１１の上面に対して垂直となる位置にあるときに、映像モニター部２よりも所定距離前方に離れた位置に設けられている。
【００４４】
また、第１乃至第３検出スイッチ１１７ａ〜１１７ｃのそれぞれは、例えばマイクロスイッチからなり、第１検出スイッチ１１７ａは、映像モニター部２が完全に筐体１１内に収容された状態におけるフレーム３の上部に対応する位置に配置され、映像モニター部２が完全に筐体１１内に収容されたことを第１検出スイッチ１１７ａによって検出できるようになっている。第２検出スイッチ１１７ｂは、映像モニター部２が筐体１１の上面１１ａに対して垂直となった状態におけるフレーム３の上部に対応する位置に配置され、映像モニター部２が筐体１１の上面１１ａに対して垂直になったことを第２検出スイッチ１１７ｂによって検出できるようになっている。さらに、第２検出スイッチ１１７ｂは、フレーム３の上部が第３プーリー１１６に最も近づいた状態におけるフレーム３の上部に対応する位置に配置され、フレーム３の上部が第３プーリー１１６に最も近づき、映像モニター部２が最大角度まで傾斜したことを第３検出スイッチ１１７ｂによって検出できるようになっている。
【００４５】
フレーム３の両側部３ａ，３ｂのそれぞれの中央部背面側には第１及び第２支点部材３１Ａ，３１Ｂが固定され、第１及び第２支点部材３１Ａ，３１Ｂのそれぞれには支点係止部３２によって第１及び第２支持アーム１３Ａ，１３Ｂの一端部が回動自在に係止されている。
【００４６】
さらに、第１及び第２支持アーム１３Ａ，１３Ｂの他端部には、筐体１１の内側から第１側面に設けられている第１レール溝２１０に係止されて第１レール溝２１０に沿って摺動する２つのアーム係止部１３１，１３２が長さ方向に所定の間隔をあけて設けられている。これらのアーム係止部１３１，１３２はローラーとワッシャによって形成されている。尚、本実施形態では支持アーム１３Ａ，１３Ｂの長さを１５０ｍｍとしている。
【００４７】
フレーム３の上面３ｃには固定部材３５が設けられ、この固定部材３５はスチールワイヤー１１４の所定位置に固定接続されている。
【００４８】
また、フレーム３の両側部３ａ，３ｂの下端には突起３４が設けられ、映像モニター部２が筐体１１内に完全に収容されたときに、突起３４が切り欠き部１１ｆ内に誘導されて、切り欠き部１１ｆによって突起３４が支持されるようになっている。
【００４９】
筐体１１の背面１１ｄには制御部４とコネクタ５が設けられ、制御部４の操作パネル４０３ａが背面１１ｄに露出されている。
【００５０】
図５は制御部４を含む電気系回路を示すブロック図である。図において、４は制御部でモーター駆動回路４０１と、コントロールＣＰＵ４０２、手動操作部４０３、リモートコントロール受信部４０４、電源部４０５から構成されている。
【００５１】
モーター駆動回路４０１は、電源部４０５から駆動電力の供給を受け、コントロールＣＰＵ４０２の制御信号に基づいて減速モーター１１２を駆動する。
【００５２】
コントロールＣＰＵ４０２は、電源部４０５から駆動電力の供給を受け、予め設定されているプログラムに基づいて動作し、手動操作部４０３から入力した指示信号、リモートコントロール受信部４０４から入力した指示信号、および第１乃至第３検出スイッチ１１７ａ〜１１７ｃの検出信号に基づいてモーター駆動回路４０１に駆動制御信号を出力する。
【００５３】
手動操作部４０３は、上記操作パネル４０３ａを有し、操作パネル４０３ａのスイッチ操作に基づく指示信号をコントロールＣＰＵ４０２に対して出力する。
【００５４】
リモートコントロール受信部４０４は、リモートコントロール部６からワイヤーレスで入力した指示信号を受信し、受信した指示信号をコントロールＣＰＵ４０２に対して出力する。
【００５５】
電源部４０５は外部から直流の主電源と副電源（電源−、コントロール電源＋、バックアップ電源＋）を入力し、回路駆動に必要な電力をモーター駆動回路４０１と、コントロールＣＰＵ４０２、リモートコントロール受信部４０４、映像モニター部２に対して供給する。
【００５６】
また、映像モニター部２に対して外部からコネクタ５を介して映像信号が入力される。
【００５７】
リモートコントロール部６は、操作パネル４０３ａが有するスイッチと同等のスイッチ及びバッテリを有し、これらのスイッチによって入力された信号を指示信号としてワイヤーレスで送信する。
【００５８】
次に、上記構成よりなる本実施形態の映像モニター電動開閉装置１の動作に関して図６乃至図９を参照して説明する。
【００５９】
リモートコントロール部６や、直接手動による操作パネル４０３ａから入力された指令はコントロールＣＰＵ４０２により処理され、モーター駆動回路４０１から減速モーター１１２に送られる。例えば開くの指令がリモートコントロール部６や直接手動による操作パネル４０３ａから入力された場合、コントロールＣＰＵ４０２からモーター駆動回路４０１に信号を送り、減速モーター１１２が回転して第１プーリー１１３を回動させてスチールワイヤー１１４に動力が伝えられる。
【００６０】
スチールワイヤー１１４に固定された固定部材３５が映像モニター部２を指示するフレーム３に固定されているため、映像モニター部２はフレーム係止部３３Ａ，３３Ｂのローラーが第２レール溝２２０にそって回転しながら移動する。やがて第２検出スイッチ１１７ｂの位置まで移動すると第２検出スイッチ１１７ｂからコントロールＣＰＵ４０２に対して信号が送られ、コントロールＣＰＵ４０２からモーター駆動回路４０１に停止信号が送られ、減速モーター１１２はその場で停止する。このとき、映像モニター部２もその位置に固定される。
【００６１】
すなわち、収容時に水平に置かれていた映像モニター部２は角度を支える支持アーム１３Ａ，１３Ｂにより映像モニター部２が開く方向に移動すると、固定されている支点係止部３２の位置がフレーム係止部３３Ａ，３３Ｂよりも下に位置するため、映像モニター部２の支点として動作し、第２検出スイッチ１１７ｂは映像モニター部２が垂直になる位置に取り付けられており、垂直の位置まで移動すると第２検出スイッチ１１７ｂが動作してコントロールＣＰＵ４０２に停止信号が送られ、減速モーター１１２が停止する。そのため第２検出スイッチ１１７ｂが動作した位置以上には移動せず映像モニター部２は垂直の位置に固定される。
【００６２】
さらに、リモートコントロール部６や直接手動による操作パネル４０３ａから角度を変える指示信号がコントロールＣＰＵ４０２に送られた場合、コントロールＣＰＵ４０２からモーター駆動回路４０１に駆動制御信号が送られ、減速モーター１１２が回転し、映像モニター部２がフレーム係止部３３Ａ，３３Ｂを介して第２レール溝２２０に沿って移動を開始する。
【００６３】
映像モニター部２が移動を開始すると、角度を支える支持アーム１３Ａ，１３Ｂは映像モニター部２に支点係止部３１Ａ，３１Ｂによって固定されているため角度を支える支持アーム１３Ａ，１３Ｂの固定されている長さ以上には移動せず、スチールワイヤー１１４に固定部材３５が固定されている映像モニター部２の上部のみ移動する。そのため角度を変えることができる。角度移動を継続すると第３検出スイッチ１１７ｃが動作してコントロールＣＰＵ４０２に信号を送り、コントロールＣＰＵ４０２からモーター駆動回路４０１に停止信号が送られ、減速モーター１１２が停止し、映像モニター部２の角度の移動が停止する。
【００６４】
また、任意の角度を指定する支持をリモートコントロール部６や直接手動による操作パネル４０３ａから入力して角度調整信号をコントロールＣＰＵ４０２に送ると、コントロールＣＰＵ４０２からモーター駆動回路４０１に角度調整信号が送られ、角度調整信号が停止すると減速モーター１１２は停止する。映像モニター部２もその角度を維持したまま停止する。
【００６５】
リモートコントロール部６や直接手動による操作パネル４０３ａから収容指令を入力し、この収容指令をコントロールＣＰＵ１１０が受け取ると、コントロールＣＰＵ４０２からモーター駆動回路４０１にモーター逆回転の信号が送られて、減速モーター１１２は逆回転を始める。この場合、途中の第３及び第２検出スイッチ１１７ｃ，１１７ｂからの信号を無視して逆回転を続け収容方向に移動する。この移動途中に、角度を支える支持アーム１３Ａ，１３Ｂのアーム係止部１３１，１３２のローラーが切りかき部２１３、２１４に固定されているため映像モニター部２の上部のみが収容方向に移動させられて、映像モニター部２は垂直から水平に変わり移動を継続する。収容完了時、位置検出のための第１検出スイッチ１１７ａが動作してコントロールＣＰＵ４０２に信号が送られ、コントロールＣＰＵ４０２からモーター駆動回路４０１に停止信号が送られ、減速モーター１１２が停止し、映像モニター２の移動も停止して収容が完了する。
【００６６】
また、映像モニター部２が垂直な状態から水平な状態に変わり、筐体１１内に収容される時、映像モニター部２の角度を支える支持アーム１３Ａ，１３Ｂのアーム係止部１３１，１３２のローラーの支点が外れるまで映像モニター部２は収容方向に少しずつ水平になりながら移動をする。やがて映像モニター部２の角度を支える支持アーム１３Ａ，１３Ｂのアーム係止部１３１，１３２のローラーの支点が、切り欠き部２１３、２１４から外れると角度を支える支持アーム１３Ａ，１３Ｂと映像モニター部２は、共に移動し収容を完了する。
【００６７】
また、どの状態の時でもスチールワイヤー１１４のたるみを吸収するための第２プーリー１１５が動作して常にスチールワイヤー１１４を張り詰めている。スチールワイヤー１１４はスチールワイヤー１１４を移動させる為の第１プーリー１１３に巻きつけられている。さらに、減速モーター１１２は構造上内部で歯車により減速しているため、第１プーリー１１３の軸となる最終軸は外部からの回転力では回転しずらい。そのため、上記最終軸に取り付けられたスチールワイヤー１１４をかける為の第１プーリー１１３も回転しずらい。また、スチールワイヤー１１４は細い線が多数より込んで作られている。このようなスチールワイヤー１１４を使用しているため、スチールワイヤー１１４の滑りも極力抑えられるので、スチールワイヤー１１４が滑って移動して映像モニター２の位置が変わることがない。
【００６８】
映像モニター部２の位置を水平方向から垂直方向に変えるために、角度を支える支持アーム１３Ａ，１３Ｂと支点係止部３２のローラーが回転し、第１レール溝２１０と第２レール溝２２０に沿ってアーム係止部１３１，１３２のローラーとフレーム係止部３３Ａ，３３Ｂのローラーが移動し、やがてアーム係止部１３１，１３２のローラーが第１レール溝２１０の最終点（前端２１２）に達すると、映像モニター部２は角度を支える支持アーム１３Ａ，１３Ｂと支点係止部３２によって固定されており、さらに角度を支える支持アーム１３Ａ，１３Ｂは長さを制限されているため、映像モニター部２は垂直に下がり始める。最終点（前端２１２）には第１レール溝２１０に設けられたモニター支持用の切り欠き部２１３，２１４が形成されており、その切り欠き部２１３，２１４に支持アーム１３Ａ，１３Ｂのアーム係止部１３１，１３２のローラーが入り込み固定される。そのため映像モニター部２に対する外部からの人為的な力及び慣性力に対する支えとなり映像モニター部２を固定する。
【００６９】
映像モニター部２の角度を支える支持アーム１３Ａ，１３Ｂのアーム係止部１３１，１３２が移動するための第１レール溝２１０の形状は、図４に示したように筐体１１の側面の第１レール溝２１０の最終点（前端２１２）に設けられた切り欠き部２１３，２１４とその切り欠き部２１３，２１４にアーム係止部１３１，１３２のローラーを固定し且つ固定を解除できるような切り欠き部２１３，２１４を持った形状である。
【００７０】
また、映像モニター部２の角度を支える支持アーム１３Ａ，１３Ｂは、アーム係止部１３１，１３２及び支点係止部３２に設けられた３個のローラーを備え、支点係止部３２のローラーは映像モニター部２を支持するフレーム３に固定された支持部材３１Ａ，３１Ｂに対して回動自在に固定され、映像モニター部２が垂直な状態に変わるとき、筐体１１の側面１１ｂ，１１ｃの第１レール溝２１０の最終点（前端２１２）に設けられた切り欠き部２１３にアーム係止部１３１のローラーが固定され、固定を解除するための切り欠き部２１４にアーム係止部１３２のローラーが固定され、映像モニター部２が垂直な状態に開き、開いている場合、外圧に対しての支持をする。
【００７１】
映像モニター部２が収容されるとき、アーム係止部１３２のローラーは映像モニター部２が水平な状態に変わるときにアーム係止部１３１のローラーが支点となり上側に移動する。やがて切り欠き部２１４の最上部にアーム係止部１３２のローラーがあたると、アーム係止部１３２のローラーが支点となるため、アーム係止部１３１のローラーが下に下がり切り欠き部２１３から外れ、支持アーム１３Ａ，１３Ｂは第１レール溝２１０に沿って映像モニター部２と共に筐体１１内に収容される方向に移動する。
【００７２】
また、スチールワイヤー１１４を往復させるための第３プーリー１１６を使用することにより歯車や回転ネジを使用するときよりも移動した距離を半分にすることができるため筐体１１の移動方向の長さを短くすることができる。
【００７３】
さらに、手動による操作パネル４０３ａからの移動指令入力のほかに、リモートコントロール部６を用いて映像モニター部２の移動操作を行わせることができるので、装置１から離れた場所からも容易に操作することができる。
【００７４】
従って、映像モニター部２を必要とする場所に装置１を設置し、映像を見ないときは映像モニター部２が筐体１１内に収容されていれば、その空間は障害とならず必要な時にだけ映像モニター部２を使用することができる。例えば装置１を天井に取り付けた場合、歩く人の障害にならず、また机の上に組み込めば使用しないときは平らな机として使用できる。
【００７５】
また、装置１は、映像モニター部２を開く、閉じる、その角度を変えるなどの機能を有しており、例えば映像モニター部２の視野角などが見る側に合わないときは、映像モニター部２の角度を容易に調整することができる。
【００７６】
また、例えば映像モニターが開いているときに、人為的に映像モニター部２に対し水平方向の圧力を加えたり、車両等に取り付けた場合の車両の発進や停止時に発生する慣性力に対して高い耐久性を得ることができる。
【００７７】
また、外部より操作することにより映像モニター部２を、開閉及び任意の角度調整を繰り返すことができる。
【００７８】
また、入力された情報に基づいて自動的に、開く位置や収容完了位置を検出し、それぞれの位置で映像モニター部２を停止させることができる。
【００７９】
尚、上記実施形態の構成は、本願発明の一具体例であって、本願発明が上記構成のみに限定されることはない。
【００８０】
例えば、図１０に示す第２実施形態のように、第１乃至第３プーリー１１３，１１５，１１６及びスチールワイヤー１１４に代えて、減速モーター１１２によって回動されるボールネジ１１８とボールネジ１１８に沿って摺動する摺動部材１１９を用い、摺動部材１１９を固定部材３５に回動可能に連結するようにして、映像モニター部２の上部を移動するようにしても良い。
【００８１】
また、上記実施形態では第２レール溝２２０（第２摺動路）を側面１１ｂ，１１ｃに設けたが上面１１ａに設けても良い。
【００８２】
また、上記減速モータ１１２に代えてステッピングモータを用いても良い。
【００８３】
また、例えば、上記実施形態では筐体１１の上面１１ａを上側として映像モニタ部２を装着したが、映像モニタ部２の装着状態を変えて筐体１１の上面１１ａを垂直な壁などに取りつけられるようにしてもよい。
【００８４】
【発明の効果】
以上説明したように本発明の映像モニター電動開閉装置によれば、例えば観光バスや送迎バス飛行機、電車などの乗り物の天井や壁、病院、旅館、住宅の居間や寝室など建物の天井や壁に取り付けて使用でき、いろいろな情報を映し出すことができる。
【００８５】
また、必要な時に映像モニター部を開き、必要でない時は、天井や壁などに収納されるため人間の移動の障害にならず、美観をそこねることがない。
【００８６】
また、大型の映像モニター部を用いても、映像モニター部が開いているときに映像モニター部に対して加わる前後の慣性力や人為的な力に対する高い耐久性を得ることができる。
【００８７】
さらに、映像を見る側にとって映像モニター部の角度を容易に調整できるので、条件の良い角度で見ることができるという非常に優れた効果を奏するものである。
【図面の簡単な説明】
【図１】本発明の第１実施形態における映像モニター電動開閉装置を斜め上後方から見た斜視図
【図２】本発明の第１実施形態における映像モニター電動開閉装置を斜め下後方から見た斜視図
【図３】本発明の第１実施形態において映像モニター部が垂直な位置にあるときの前面図
【図４】本発明の第１実施形態におけるレール溝の形状を示す図
【図５】本発明の第１実施形態における電気系回路を示すブロック図
【図６】本発明の第１実施形態における映像モニター電動開閉装置の動作を説明する図
【図７】本発明の第１実施形態における映像モニター電動開閉装置の動作を説明する図
【図８】本発明の第１実施形態における映像モニター電動開閉装置の動作を説明する図
【図９】本発明の第１実施形態における映像モニター電動開閉装置の動作を説明する図
【図１０】本発明の第２実施形態における映像モニター電動開閉装置を斜め下後方から見た斜視図
【符号の説明】
１…映像モニター電動開閉装置、２…映像モニター部、３…フレーム、４…制御部、５…コネクタ、６…リモートコントロール部、１１…筐体、１１ａ…筐体上面、１１ｂ，１１ｃ…筐体側面、１１ｄ…筐体背面、１１ｅ…取りつけ穴、１１ｆ…切り欠き部、１３Ａ，１３Ｂ…支持アーム、３１Ａ，３１Ｂ…支点部材、３２…支持部材、３３Ａ，３３Ｂ…フレーム係止部、３４…突起、３５…固定部材、１１２…減速モーター、１１３…第１プーリー、１１４…スチールワイヤー、１１５…第２プーリー、１１６…第３プーリー、１１７ａ…第１検出スイッチ、１１７ｂ…第２検出スイッチ、１１７ｃ…第３検出スイッチ、１１８…ボールネジ、１１９…摺動部材、１３１，１３２…アーム係止部、２１０…第１レール溝、２１１…後端、２１２…前端、２１３，２１４…切り欠き部、２２０…第２レール溝、２２１…後端、２２２…前端、２２３…湾曲部、４０１…モーター駆動回路、４０２…コントロールＣＰＵ、４０３…手動操作部、４０３ａ…操作パネル、４０４…リモートコントロール受信部、４０５…電源部。
【図１】
2005025057.tif 000003
【図２】
2005025057.tif 000004
【図３】
2005025057.tif 000005
【図４】
2005025057.tif 000006
【図５】
2005025057.tif 000007
【図６】
2005025057.tif 000008
【図７】
2005025057.tif 000009
【図８】
2005025057.tif 000010
【図９】
2005025057.tif 000011
【図１０】
2005025057.tif 000012